(57)【要約】【課題】本発明は給湯機等の要素部品制御システムに関するものであり、回路の耐久性の向上を図る。【解決手段】機器本体を構成する要素部品４〜７及び９〜１２と、要素部品４〜７及び９〜１２の駆動を制御する制御部２を有し、制御部２は、半導体リレー１３を用いて要素部品の少なくとも一つの要素部品を制御する回路１４を設けたものである。従来のような機械式リレーの接点の開閉時に発生するアーク放電がなくなり、機器本体の耐久性が向上する。【選択図】図２
2007178019.tif 000002
【特許請求の範囲】
【請求項１】
機器本体を構成する要素部品と、前記要素部品の駆動を制御する制御部を有し、前記制御部は、半導体リレーを用いて前記要素部品である水用電磁弁、燃料供給用電磁弁、給湯回路に水を循環させる循環ポンプ、水を加熱するバーナに点火する点火器、前記バーナへ燃焼用空気を送る燃焼用ファン、給湯回路の圧力逃がし用電磁弁、給湯回路の切換用モータ弁等の少なくとも一つの要素部品を制御する回路を設けてなる要素部品制御システム。
【請求項２】
機器本体を構成する要素部品と、前記要素部品を制御する制御部を有し、前記制御部は、半導体リレーを用いて機器本体の電源を制御する回路を設けてなる要素部品制御システム。
【発明の詳細な説明】
【技術分野】
【０００１】
本発明は給湯機等の機器本体の要素部品を制御する要素部品制御システムに関するものである。
【背景技術】
【０００２】
従来この種の要素部品制御システムは、メカ式リレーを用いた回路により制御するようになっていた（例えば、特許文献１参照）。
【特許文献１】特開平１０−０２６３４５号公報
【発明の開示】
【発明が解決しようとする課題】
【０００３】
しかしながら、従来のメカ式リレーを用いた回路、例えば図３に示すように電磁弁等の要素部品２１を開閉の駆動を行うのは、機械式の接点を有する機械式リレー２２なので、接点の開閉時に発生するアーク放電により接点が劣化し機器本体の耐用年数が限られてしまう課題を有している。図中、２３は機械式リレー２２を制御する回路、２４は制御部である。
【０００４】
上記従来の課題に鑑み、本発明が解決しようとする課題は、機器本体の耐用年数を向上させる要素部品制御システムを提供することにある。
【課題を解決するための手段】
【０００５】
本発明は上記課題を解決するために、機器本体を構成する要素部品と、前記要素部品の駆動を制御する制御部を有し、前記制御部は、半導体リレーを用いて前記要素部品である水用電磁弁、燃料供給用電磁弁、給湯回路に水を循環させる循環ポンプ、水を加熱するバーナに点火する点火器、前記バーナへ送る燃焼用ファン、給湯回路の圧力逃がし用電磁弁、給湯回路の切換用モータ弁等の少なくとも一つの要素部品を制御する回路を設けたものである。
【０００６】
このように制御部が、機械式リレーに替え半導体リレーを用いての制御を行うことにより機器本体の耐用年数の向上を図るものである。   
【発明の効果】
【０００７】
本発明の要素部品制御システムは、従来のような機械式リレーの接点の開閉時に発生するアーク放電が解消され機器本体の耐久性が飛躍的に向上する。
【発明を実施するための最良の形態】
【０００８】
第１の発明は、機器本体を構成する要素部品と、前記要素部品の駆動を制御する制御部を有し、前記制御部は、半導体リレーを用いて前記要素部品である水用電磁弁、燃料供給用電磁弁、水を循環させる循環ポンプ、水を加熱するバーナに点火する点火器、前記バーナへ燃焼用空気を送る燃焼用ファン、給湯回路の圧力逃がし用電磁弁、給湯回路の切換用モータ弁等の少なくとも一つの要素部品を制御する回路を設けたものである
これにより、制御部は半導体リレーを有する回路が、要素部品である水用電磁弁、燃料供給用電磁弁、給湯回路に水を循環させる循環ポンプ、水を加熱するバーナに点火する点火器、前記バーナへ燃焼用空気を送る燃焼用ファン、給湯回路の圧力逃がし用電磁弁、給湯回路の切換用モータ弁等の少なくとも一つの要素部品を制御することになり、従来のような機械式リレーの接点の開閉時に発生するアーク放電がなくなり、機器本体の耐久性が向上する。
【０００９】
第２の発明は、機器本体を構成する要素部品と、前記要素部品を制御する制御部を有し、前記制御部は、半導体リレーを用いて機器本体の電源を制御する回路を設けてなる要素部品制御システムである。
【００１０】
これにより、制御部は半導体リレーを有する回路が機器本体の電源を制御することになり、従来のような機械式リレーの接点の開閉時に発生するアーク放電がなくなり、機器本体の耐久性が向上する。
【００１１】
以下、本発明の実施の形態について、図面を参照しながら説明する。なお、この実施の形態によって本発明が限定されるものではない。
【００１２】
（実施の形態１）
図１は本発明の実施の形態１における要素部品制御システムを搭載した給湯機の制御ブロック図である。  
【００１３】
図１において、１は機器本体である給湯機本体で、２はマイクロコンピュータ及びその周辺回路からなり、給湯機全体をプログラムに従い制御する制御部である。３は給湯機本体１の運転、停止、その他を操作する遠隔操作部で、例えば一方は台所、他方は浴室に設けて使用するものである。４は給湯機本体１の給湯回路１６と浴槽８の浴槽水の循環回路１７を接続した通路の開閉をする水用電磁弁で、５はバーナ１８へのガス通路の開閉をする燃料供給用電磁弁で、６は浴槽８の浴槽水の循環をする循環ポンプで、７はバーナ１８から噴出した混合気ガスを点火させる点火器で、９は給湯機本体１への供給電源で、１０はバーナ１８へ燃焼用空気を送る燃焼用ファンで、１１は水の通路内の余分な圧力を機器外部へ逃がす圧力逃がし用電磁弁で、１２は給湯回路１６と入水通路１９との接続回路の切換を行う通路切換用モータ弁である。
【００１４】
そして、給湯機本体１の要素部品である水用電磁弁４、燃料供給用電磁弁５、循環回路１７に浴槽水を循環させる循環ポンプ６、水を加熱するバーナ１８に点火する点火器７、バーナ１８へ燃焼用空気を送る燃焼用ファン１０、給湯回路１６の圧力逃がし用電磁１１弁、給湯回路１６の切換用モータ弁１２は、制御部２と電気的に接続され、制御部２がプログラムを実行することにより、それぞれが開閉、点火及び停止、回転及び停止等の駆動制御を受ける。
【００１５】
また、図２は図１に示す本発明の制御部２の詳細図であり、１３は例えば、フォトＭＯＳリレー等の半導体リレーで、給湯機本体１の要素部品である水用電磁弁４、燃料供給用電磁弁５、循環回路１７に浴槽水を循環させる循環ポンプ６、水を加熱するバーナ１８に点火する点火器７、バーナ１８へ燃焼用空気を送る燃焼用ファン１０、給湯回路１６の圧力逃がし用電磁１１弁、給湯回路１６の切換用モータ弁１２と接続され、これ等を制御する。１４は例えば、マイクロコンピュータ等からなるコントロール回路で、半導体リレー１３を介して給湯機本体１の要素部品を制御するものである。図中、２０は一体式の給湯用と追い炊き用の熱交換器である。なお、制御部２は図示していないが、半導体リレーを用いて給湯機の供給電源９を制御する回路も設けているものである。
【００１６】
次に給湯機本体１の動作、作用について説明する。遠隔操作部３により給湯機本体１の運転を開始すると、半導体リレー１３を用いたコントロール回路１４により制御部２に電源が供給される。そして、給湯カランを開くと、制御部２がもつプログラムの実行により、入水通路１９より熱交換器２０を経て給湯回路１６に水が流れ、かつ燃料供給用電磁弁５が開いてガスがバーナ１８に、回転した燃焼用ファン１０から送られた燃焼用空気とともに送られ、この混合気ガスに点火器７の放電で点火され燃焼して熱交換器２０が加熱さ
れ、遠隔操作部３で設定された温度の湯が供給される。
【００１７】
また、遠隔操作部３を操作して浴槽８に給湯する時は、制御部２により水用電磁弁４が開いて熱交換器２０で加熱された湯が遠隔操作部３で設定した水位まで浴槽８に供給される。そして、浴槽水の追い炊きをする時は、遠隔操作部３を操作して制御部２により循環ポンプ６を回転させる。これにより、浴槽水が循環回路１７を循環して熱交換器２０により追い炊きの加熱が行なわれる。
【００１８】
また、上記した給湯、追い炊きが必要なくなれば、遠隔操作部３を操作することにより制御部２により、上記した要素部品は停止及び閉じることになる。
【００１９】
このように給湯機本体１により給湯、追い炊きが行われる際に制御部２は、給湯機本体１の要素部品である水用電磁弁４、燃料供給用電磁弁５、循環ポンプ６、点火器７、燃焼用ファン１０、圧力逃がし用電磁１１弁、切換用モータ弁１２、供給電源９を、図２に示すように半導体リレー１３を用いたコントロール回路１４で駆動するから、水用電磁弁４、燃料供給用電磁弁５、循環ポンプ６、点火器７、燃焼用ファン１０、圧力逃がし用電磁１１弁、切換用モータ弁１２のそれぞれの動作において、従来のような機械式リレーによる接点のアーク放電は発生しないから半導体リレーの劣化は解消し、給湯機本体１の耐久性が飛躍的に向上する。
【００２０】
なお、本実施の形態では制御部２が、半導体リレーを用いて要素部品である水用電磁弁４、燃料供給用電磁弁５、循環ポンプ６、点火器７、燃焼用ファン１０、圧力逃がし用電磁弁１１、切換用モータ弁１２、供給電源９の全てを制御する回路を設けたが、これに限定されるものではなく、少なくとも上記した要素部品の一つを、半導体リレーを用いたコントロール回路で制御すればよいものである。
【００２１】
また、本実施の形態では要素部品制御システムを給湯機本体に搭載した例で説明したが、給湯機に限定されるものではない。
【産業上の利用可能性】
【００２２】
以上のように本発明にかかる要素部品制御システムは、半導体リレーを搭載した制御回路なので、従来のメカ式リレー搭載回路と同様の動作が可能であり、かつメカ接点ではないため、耐久性が飛躍的に向上し、広範囲の機器本体における要素部品の制御に適用できる。
【図面の簡単な説明】
【００２３】
【図１】本発明の実施の形態１における要素部品制御システムを搭載した給湯機の制御ブロック図
【図２】本発明の実施の形態１における要素部品制御システムのブロック図
【図３】従来の要素部品制御システムの制御ブロック図
【符号の説明】
【００２４】
１  給湯機本体（機器本体）
２  制御部
４  水用電磁弁（要素部品）
５  燃料供給用電磁弁（要素部品）
６  循環ポンプ（要素部品）
７  点火器（要素部品）
９  供給電源（要素部品）
１０  燃焼用ファン（要素部品）
１１  圧力逃がし用電磁弁（要素部品）
１２  通路切換モータ弁（要素部品）
１３  半導体リレー
１４  コントロール部
【図２】
2007178019.tif 000003
【図３】
2007178019.tif 000004
【図１】
2007178019.tif 000005